(57)【要約】      （修正有）【課題】全閉制御時に、弁体と弁座との間のクリアランスから、排気ガスが漏出しにくい排気ガス締め切り制御装置を提供する。【解決手段】排気ガス締め切り制御装置１は、弁体を有するバルブ３と、弁座を有する排ガス通路が形成されたハウジング２と、弁体を駆動するアクチュエータ４と、全開位置と全閉位置とが予め記憶された記憶部５１と、アクチュエータ４を制御することにより、任意の位置から全閉位置に弁体を切り替える全閉ステップを実行する演算部５０と、を有する制御ユニット５と、を備える。弁体が弁座に着座する弁体の位置を当接位置として、演算部５０は、全閉ステップの後に、全閉位置から当接位置まで弁体を移動させ、所定の押圧力で弁体を弁座に押し付ける押し付けステップを実行することを特徴とする。【選択図】図１
2014092034.tif 000002
【特許請求の範囲】
【請求項１】
弁体を有するバルブと、
該弁体が離着可能な弁座を有する排ガス通路が形成されたハウジングと、
該弁体を駆動するアクチュエータと、
該排ガス通路の通路断面積が最大となる該弁体の位置である全開位置と、該全開位置よりも該通路断面積が小さくなる該弁体の位置である全閉位置と、が予め記憶された記憶部と、該アクチュエータを制御することにより、任意の位置から該全閉位置に該弁体を切り替える全閉ステップを実行する演算部と、を有する制御ユニットと、
を備える排気ガス締め切り制御装置であって、
前記弁体が前記弁座に着座する該弁体の位置を当接位置として、
前記演算部は、前記全閉ステップの後に、前記全閉位置から該当接位置まで該弁体を移動させ、所定の押圧力で該弁体を該弁座に押し付ける押し付けステップを実行することを特徴とする排気ガス締め切り制御装置。
【請求項２】
前記記憶部は、前記当接位置を記憶せず、
前記演算部は、前記押し付けステップにおいて、前記押圧力を前記弁体に加え続ける請求項１に記載の排気ガス締め切り制御装置。
【請求項３】
さらに、前記全閉位置から前記全開位置に向かう方向に、前記弁体に付勢力を加える開方向付勢部材を備える請求項１または請求項２に記載の排気ガス締め切り制御装置。
【請求項４】
さらに、前記全開位置から前記全閉位置に向かう方向に、前記弁体に付勢力を加える閉方向付勢部材を備える請求項１ないし請求項３のいずれかに記載の排気ガス締め切り装置。
【発明の詳細な説明】
【技術分野】
【０００１】
本発明は、例えば、ターボシステム、排気ガス再循環システム（ＥＧＲシステム）、排気ブレーキシステムなどに用いられる排気ガス締め切り制御装置に関する。
【背景技術】
【０００２】
特許文献１には、ＥＧＲシステムに用いられるバルブアセンブリが開示されている。同文献記載のバルブアセンブリによると、ガス通路を通過する排気ガスの流量を調整することができる。すなわち、バルブアセンブリは、バタフライバルブを備えている。バタフライバルブの弁体は、排気ガスの流量が最小となる全閉位置と、排気ガスの流量が最大となる全開位置と、の間で回動可能である。バルブアセンブリは、弁体を所定の位置にセットすることにより、排気ガスの流量を調整している。
【先行技術文献】
【特許文献】
【０００３】
【特許文献１】特開２００４−２６３７２３号公報
【特許文献２】特開２００７−２８５１２３号公報
【発明の概要】
【発明が解決しようとする課題】
【０００４】
ところで、ガス通路を流れる排気ガスの温度が変化する場合、排気ガスの流れが衝突する弁体の温度も変化する。並びに、ガス通路に形成された弁座の温度も変化する。弁体と弁座とを比較すると、排気ガスの流れに正対している弁体の方が、弁座よりも、温度変化が大きい。このため、弁体の方が、弁座よりも、熱変形量が大きくなる。
【０００５】
ここで、低温時を基準に弁体、弁座を設計する場合、高温時において弁体が弁座に過度に圧接しやすくなる。すなわち、弁座に対して、弁体の方が、熱膨張量が大きい。このため、低温時の全閉位置において弁体が弁座に着座するように弁体、弁座を設計する場合、高温時において弁体が弁座に過度に圧接しやすくなる。したがって、高温時において、全閉位置から別の位置に、弁体を移動させにくくなる。
【０００６】
これに対して、高温時を基準に弁体、弁座を設計する場合、低温時において弁体と弁座との間にクリアランスが発生してしまう。このため、高温時の全閉位置において弁体が弁座に着座するように弁体、弁座を設計する場合、低温時において弁体が弁座から離間してしまう。したがって、低温時において、全閉位置であるにもかかわらず、弁体と弁座との間にクリアランスが発生してしまう。よって、弁体の上流側から下流側に排気ガスが漏出してしまう。
【０００７】
このように、低温時を基準に弁体、弁座を設計しても、高温時を基準に弁体、弁座を設計しても、デメリットが発生してしまう。しかしながら、弁体の円滑な動作を確保するためには、低温時かつ全閉位置における排気ガスの漏出を敢えて許容し、高温時を基準に弁体、弁座を設計する必要がある。
【０００８】
特許文献２には、ＥＧＲシステムに用いられるバルブ開閉制御装置が開示されている。同文献記載のバルブ開閉制御装置によると、バルブを全閉位置に切り替える際に、全閉位置の手前（全開位置側）に設定された制御上の全閉ポイントで、バルブを停止させることができる。特許文献２には、上記課題（低温時かつ全閉位置におけるクリアランスからの排気ガスの漏出という課題）は、開示、示唆されていない。
【０００９】
そこで、本発明は、全閉制御時に、弁体と弁座との間のクリアランスから、排気ガスが漏出しにくい排気ガス締め切り制御装置を提供することを目的とする。
【課題を解決するための手段】
【００１０】
（１）上記課題を解決するため、本発明の排気ガス締め切り制御装置は、弁体を有するバルブと、該弁体が離着可能な弁座を有する排ガス通路が形成されたハウジングと、該弁体を駆動するアクチュエータと、該排ガス通路の通路断面積が最大となる該弁体の位置である全開位置と、該全開位置よりも該通路断面積が小さくなる該弁体の位置である全閉位置と、が予め記憶された記憶部と、該アクチュエータを制御することにより、任意の位置から該全閉位置に該弁体を切り替える全閉ステップを実行する演算部と、を有する制御ユニットと、を備える排気ガス締め切り制御装置であって、前記弁体が前記弁座に着座する該弁体の位置を当接位置として、前記演算部は、前記全閉ステップの後に、前記全閉位置から該当接位置まで該弁体を移動させ、所定の押圧力で該弁体を該弁座に押し付ける押し付けステップを実行することを特徴とする。ここで、「通路断面積」とは、排ガス通路の延在方向に対して、直交する方向の断面積をいう。
【００１１】
本発明の排気ガス締め切り制御装置によると、演算部が、全閉ステップと、押し付けステップと、を実行する。全閉ステップにおいては、アクチュエータは、任意の位置から全閉位置まで弁体を移動させる。押し付けステップにおいては、アクチュエータは、全閉位置から当接位置まで弁体を移動させる。当接位置においては、弁体が弁座に押し付けられる。このため、全閉制御時（例えば、ＥＣＵ（Ｅｎｇｉｎｅ  Ｃｏｎｔｒｏｌ  Ｕｎｉｔ）などの上位制御装置から、制御ユニットに、全閉指示が出された場合）に、弁体と弁座との間のクリアランスから、排気ガスが漏出するのを抑制することができる。
【００１２】
（１−１）好ましくは、上記（１）の構成において、前記バルブはバタフライバルブである構成とする方がよい。バタフライバルブは、弁軸と弁体とを備えている。弁体は、弁軸の軸周りに回転する。本構成によると、当接位置において、弁体の外周縁のうち、弁軸の径方向外端部分を、弁座に押し付けることができる。
【００１３】
（２）好ましくは、上記（１）の構成において、前記記憶部は、前記当接位置を記憶せず、前記演算部は、前記押し付けステップにおいて、前記押圧力を前記弁体に加え続ける構成とする方がよい。
【００１４】
記憶部には、予め、全開位置と全閉位置とが記憶されている。全閉ステップにおいて、演算部は、弁体の位置を認識することができる。一方、記憶部には、当接位置が記憶されていない。このため、押し付けステップにおいて、演算部は、弁体の位置を認識することができない。つまり、演算部は、弁体が当接位置に到着したか否か（弁体が弁座に着座したか否か）を判別することができない。
【００１５】
この点、本構成の場合、押し付けステップにおいて、アクチュエータが弁体に継続的に押圧力を加えている。このため、演算部が弁体の位置を認識することができないにもかかわらず、確実に、弁体を弁座に押し付けることができる。
【００１６】
本構成によると、例えばアクチュエータの負荷（負荷電流、負荷電圧など）を基に、演算部が、弁体が弁座に着座したか否かを判別する場合（この場合も、勿論、上記（１）の構成に含まれる。）と比較して、排気ガス締め切り制御装置の回路構成が簡単になる。このため、排気ガス締め切り制御装置の製造コストを削減することができる。
【００１７】
（３）好ましくは、上記（１）または（２）の構成において、さらに、前記全閉位置から前記全開位置に向かう方向に、前記弁体に付勢力を加える開方向付勢部材を備える構成とする方がよい。
【００１８】
本発明の排気ガス締め切り装置が用いられるシステムによっては、フェイルセーフの観点から、故障時などに排ガス通路の通路断面積が最大になる方が好ましい場合がある。この点、本構成の排気ガス締め切り装置は、開方向付勢部材を備えている。開方向付勢部材は、常時、弁体を、開方向に付勢している。このため、アクチュエータから弁体に駆動力が伝達されなくなっても、開方向付勢部材の付勢力により、弁体を全開位置に設定することができる。つまり、排ガス通路の通路断面積を最大にすることができる。
【００１９】
また、押し付けステップにおいてアクチュエータが弁体に加える押圧力は、付勢力に対して、反対方向に作用する。本構成によると、当接位置において、付勢力に抗して、弁体を弁座に押し付けることができる。
【００２０】
（４）好ましくは、上記（１）ないし（３）のいずれかの構成において、さらに、前記全開位置から前記全閉位置に向かう方向に、前記弁体に付勢力を加える閉方向付勢部材を備える構成とする方がよい。
【００２１】
閉方向付勢部材は、常時、弁体を、閉方向に付勢している。押し付けステップにおいてアクチュエータが弁体に加える押圧力は、閉方向付勢部材の付勢力と同じ方向に作用する。本構成によると、当接位置において、当該付勢力と押圧力とにより、弁体を弁座に押し付けることができる。
【発明の効果】
【００２２】
本発明によると、全閉制御時に、弁体と弁座との間のクリアランスから、排気ガスが漏出しにくい排気ガス締め切り制御装置を提供することができる。
【図面の簡単な説明】
【００２３】
【図１】第一実施形態の排気ガス締め切り制御装置の配置図である。
【図２】同排気ガス締め切り制御装置の斜視図である。
【図３】図２のＩＩＩ−ＩＩＩ方向断面図である。
【図４】同排気ガス締め切り制御装置が実行する排気ガス締め切り方法の模式図である。
【図５】図３の円Ｖ内の拡大図である。
【図６】同排気ガス締め切り制御装置の排気ガスが高温の場合の弁座付近の拡大図である。
【図７】押し付けステップの有無における漏れ量の違いを示す模式図である。
【図８】第二実施形態の排気ガス締め切り制御装置が実行する排気ガス締め切り方法の模式図である。
【発明を実施するための形態】
【００２４】
以下、本発明の排気ガス締め切り制御装置の実施の形態について説明する。
【００２５】
＜第一実施形態＞
［排気ガス締め切り制御装置の構成］
まず、本実施形態の排気ガス締め切り制御装置の構成について説明する。図１に、本実施形態の排気ガス締め切り制御装置の配置図を示す。図２に、同排気ガス締め切り制御装置の斜視図を示す。図３に、図２のＩＩＩ−ＩＩＩ方向断面図を示す。なお、図３に示すのは、排気ガスの温度が低い低温時である。
【００２６】
図１に示すように、吸気系９０と排気系９１との間には、ターボチャージャー９２が配置されている。本実施形態の排気ガス締め切り制御装置１は、排気系９１においてターボチャージャー９２を迂回する、バイパス配管９１０に配置されている。
【００２７】
図１〜図３に示すように、排気ガス締め切り制御装置１は、主に、ハウジング２と、バタフライバルブ３と、モータ４と、制御ユニット５と、デフォルトスプリング７と、リンク機構部８と、を備えている。モータ４は、本発明の「アクチュエータ」の概念に含まれる。デフォルトスプリング７は、本発明の「開方向付勢部材」の概念に含まれる。
【００２８】
（ハウジング２）
図１に示すように、ハウジング２は、バイパス配管９１０に配置されている。図３に示すように、ハウジング２は、排ガス通路２０と、第一スリーブ２１と、第二スリーブ２２と、を備えている。第一スリーブ２１、第二スリーブ２２は、各々、ステンレス鋼製であって、円筒状を呈している。第一スリーブ２１の軸方向端面と第二スリーブ２２の軸方向端面とは、互いに径方向にずれた状態で、軸方向から突き合わされている。
【００２９】
第一スリーブ２１の軸方向端面の内周縁のうち、第二スリーブ２２の軸方向端面の内周縁よりも、径方向内側に配置されている部分には、弁座２１０が設定されている。同様に、第二スリーブ２２の軸方向端面の内周縁のうち、第一スリーブ２１の軸方向端面の内周縁よりも、径方向内側に配置されている部分には、弁座２２０が設定されている。排ガス通路２０は、第一スリーブ２１および第二スリーブ２２の径方向内側に配置されている。排気ガスは、排ガス通路２０を、第一スリーブ２１から第二スリーブ２２に向かって、流動する。
【００３０】
（バタフライバルブ３）
バタフライバルブ３は、ハウジング２に配置されている。バタフライバルブ３は、排ガス通路２０を開閉可能である。バタフライバルブ３は、弁体３０と弁軸３１とを備えている。弁軸３１は、ステンレス鋼製であって、丸棒状を呈している。弁体３０は、ステンレス鋼製であって、円板状を呈している。弁体３０の直径部分は、弁軸３１に固定されている。弁体３０は、排ガス通路２０の内部において、回転可能である。弁体３０の外周縁は、弁座２１０、２２０に対して、離着可能である。
【００３１】
図２に示すように、弁軸３１の一端は、ハウジング２の外部に突出している。弁軸３１の当該突出部分は、ステンレス鋼製であって円筒状の弁軸支持ボス３１０の内部に、回転可能に支持されている。弁軸支持ボス３１０の外周側には、ステンレス鋼製であって円筒状のスペーサ３１１が環装されている。デフォルトスプリング７は、スペーサ３１１の外周面に環装されている。すなわち、スペーサ３１１は、デフォルトスプリング７と弁軸支持ボス３１０との干渉を防止している。デフォルトスプリング７の一端は、後述するバルブ側アーム８２に係止されている。デフォルトスプリング７の他端は、ハウジング２に係止されている。デフォルトスプリング７は、バタフライバルブ３の弁体を開方向（図３に示す全閉位置Ｐ１から全開位置Ｐ２に向かう方向）に付勢している。
【００３２】
（モータ４）
モータ４は、後述するリンク機構部８を介して、バタフライバルブ３に連結されている。モータ４は、モータケース４０と、駆動軸４１と、を備えている。モータケース４０には、モータ本体（図略）が収容されている。駆動軸４１は、モータケース４０から、外部に突出している。駆動軸４１とモータ本体とは、複数のギアからなる減速機構部（図略）により、連結されている。
【００３３】
（リンク機構部８）
リンク機構部８は、モータ側アーム８０と、中間アーム８１と、バルブ側アーム８２と、を備えている。リンク機構部８は、全体として折れ尺状（Ｚ字状）を呈している。モータ側アーム８０およびバルブ側アーム８２は、各々、鉄製である。これに対して、中間アーム８１は、ステンレス鋼製である。モータ側アーム８０および中間アーム８１およびバルブ側アーム８２は、各々、細板状を呈している。
【００３４】
モータ側アーム８０の一端は、駆動軸４１に固定されている。モータ側アーム８０の他端は、中間アーム８１の一端に、揺動可能に接続されている。中間アーム８１の他端は、バルブ側アーム８２の一端に、揺動可能に接続されている。バルブ側アーム８２の他端は、弁軸支持ボス３１０を貫通した弁軸３１の一端に、固定されている。
【００３５】
（制御ユニット５）
制御ユニット５は、モータ４と一体に配置されている。制御ユニット５は、モータ４を駆動制御している。図１に示すように、制御ユニット５は、ＣＰＵ（ｃｅｎｔｒａｌ  ｐｒｏｃｅｓｓｉｎｇ  ｕｎｉｔ、マイコン）である演算部５０を備えている。演算部５０には、記憶部５１が内蔵されている。記憶部５１は、ＥＥＰＲＯＭ（ｅｌｅｃｔｒｉｃａｌｌｙ  ｅｒａｓａｂｌｅ  ｐｒｏｇｒａｍｍａｂｌｅ  ｒｅａｄ−ｏｎｌｙ  ｍｅｍｏｒｙ）である。記憶部５１には、バタフライバルブ３の弁体３０の全閉位置Ｐ１と全開位置Ｐ２とが格納されている。
【００３６】
演算部５０は、モータ４をＰＷＭ（Ｐｕｌｓｅ−Ｗｉｄｔｈ  Ｍｏｄｕｌａｔｉｏｎ）制御している。演算部５０は、全閉位置Ｐ１と全開位置Ｐ２との間において、弁体３０を所望の開度にセット可能である。
【００３７】
全閉位置Ｐ１、全開位置Ｐ２の学習は、排気ガス締め切り制御装置１を組み立ててから車両に搭載する前までの間に、実行される。具体的には、まず、制御ユニット５に位置学習ユニット（図略）を接続する。次に、制御ユニット５により、実際にバタフライバルブ３を駆動する。それから、全閉位置Ｐ１（車両運転時に排ガス通路２０の通路断面積が最小になる弁体３０の開度）と、全開位置Ｐ２（車両運転時に排ガス通路２０の通路断面積が最大になる弁体３０の開度）と、を記憶部５１に格納する。最後に、制御ユニット５から位置学習ユニットを取り外す。なお、全閉位置Ｐ１、全開位置Ｐ２に対応する弁体３０の開度は、エンジンや車種により様々である。
【００３８】
制御ユニット５には、上位制御装置として、ＥＣＵ９９が接続されている。制御ユニット５は、ＥＣＵ９９からの制御指示に基づいて、バタフライバルブ３を開閉制御している。
【００３９】
［排気ガス締め切り方法］
次に、本実施形態の排気ガス締め切り制御装置１が実行する排気ガス締め切り方法について説明する。図４に、本実施形態の排気ガス締め切り制御装置が実行する排気ガス締め切り方法の模式図を示す。図１に示すＥＣＵ９９から制御ユニット５に全閉指示（弁体３０を全閉位置Ｐ１まで回動させる指示）が出されると、演算部５０は排気ガス締め切り方法を実行する。
【００４０】
まず、排気ガスが低温の場合について説明する。排気ガス締め切り方法は、全閉ステップと、押し付けステップと、を有している。全閉ステップにおいては、モータ４が、図３に示すように、任意の開度（具体的には、全開位置Ｐ２と、全閉位置Ｐ１と、の間の任意の開度）から、全閉位置Ｐ１まで、弁体３０を回動させる。図４に示すように、全開位置Ｐ２と全閉位置Ｐ１との間においては、演算部５０は、モータ４を、デューティー比変動制御している。なお、デューティー比とは、モータ４に対する駆動信号のパルス波のパルス幅をτ、周期をＴとして、デューティー比（％）＝τ／Ｔ×１００という式から算出される。このため、全閉ステップにおいては、演算部５０は、所望のデューティー比で、モータ４を制御する。弁体３０が全閉位置Ｐ１に到着すると、演算部５０は、一旦、デューティー比を０にする。
【００４１】
押し付けステップにおいては、モータ４が、図３に示すように、全閉位置Ｐ１から、当接位置Ｐ３まで、弁体３０を回動させる。すなわち、弁体３０の回転方向（開閉方向）において、全閉位置Ｐ１の閉方向（全開位置Ｐ２と反対方向）には、当接位置Ｐ３が設定されている。全閉位置Ｐ１から当接位置Ｐ３までの間においては、演算部５０は、モータ４を、デューティー比固定制御している。このため、押し付けステップにおいては、モータ４は弁体３０を一定の押圧力Ｆ１で回動させる。なお、当該押圧力Ｆ１、つまりデューティー比固定制御におけるデューティー比は、モータ４の発熱量、リンク機構部８や減速機構部のギアの損傷、デフォルトスプリング７の開方向の付勢力Ｆ２などを考慮して、予め設定されている。当該デューティー比は、図１に示す記憶部５１に格納されている。
【００４２】
図５に、図３の円Ｖ内の拡大図を示す。図３、図５に示すように、当接位置Ｐ３においては、弁体３０が弁座２２０に、所定の押圧力Ｆ１で押し付けられている。押圧力Ｆ１は、図１に示すＥＣＵ９９が制御ユニット５に全閉指示を出している間（または、当該全閉指示の後、弁体３０の開度を変える次の指示を、ＥＣＵ９９が制御ユニット５に出すまでの間）、継続的にモータ４から弁体３０に加えられる。このため、上流側（第一スリーブ２１側）から下流側（第二スリーブ２２側）への排気ガスの漏れ量が少なくなる。
【００４３】
なお、図５に一点鎖線で示すように、弁体３０が全閉位置Ｐ１に到達しても、弁体３０と弁座２２０との間には、径方向にクリアランスＣ１が存在している。ここで、弁体３０、弁座２２０は、排気ガスの温度が高温の場合を基準に、設計されている。このため、低温時におけるクリアランスＣ１は、比較的大きい。したがって、仮に押し付けステップを実行しない場合、弁体３０は全閉位置Ｐ１で停止するため、上流側から下流側への排気ガスの漏れ量が多くなる。
【００４４】
次に、排気ガスが高温の場合について説明する。排気ガスが高温の場合も、排気ガスが低温の場合と同様である。図６に、本実施形態の排気ガス締め切り制御装置の排気ガスが高温の場合の弁座付近の拡大図を示す。なお、図６は、図５に対応している。
【００４５】
図６に示すように、排気ガスが高温の場合、弁体３０が径方向外側に熱膨張してしまう。このため、排気ガスが低温の場合と比較して、全閉位置Ｐ１におけるクリアランスＣ２が小さくなる。すなわち、Ｃ２＜Ｃ１となる。この場合であっても、押し付けステップにおいて、弁体３０を当接位置Ｐ３まで回動させるため、上流側から下流側への排気ガスの漏れ量が少なくなる。
【００４６】
［排気ガス締め切り制御装置の作用効果］
次に、本実施形態の排気ガス締め切り制御装置１の作用効果について説明する。本実施形態の排気ガス締め切り制御装置１によると、図１に示すＥＣＵ９９が制御ユニット５に全閉指示を出すと、図４に示すように、モータ４は、全閉指示が出た時点の弁体３０の位置から、当接位置Ｐ３まで、弁体３０を回動させる。図３に示すように、モータ４は、全閉指示が出ている間、継続的に所定の押圧力Ｆ１で弁体３０を弁座２２０に押し付ける。このため、図１に示すＥＣＵ９９が全閉指示を出した場合、図５、図６に示すように、弁体３０と弁座２２０との間のクリアランスＣ１、Ｃ２から、排気ガスが漏出するのを抑制することができる。
【００４７】
図７に、押し付けステップの有無における漏れ量の違いを模式図で示す。図７に示すα１は、図６に示す高温時において、弁体３０が当接位置Ｐ３にある場合に対応している。α２は、図６に示す高温時において、弁体３０が全閉位置Ｐ１にある場合に対応している。β１は、図５に示す低温時において、弁体３０が当接位置Ｐ３にある場合に対応している。β２は、図５に示す低温時において、弁体３０が全閉位置Ｐ１にある場合に対応している。
【００４８】
図７に示すように、押し付けステップを実行しない場合と比較して、押し付けステップを実行する方が、排気ガスの温度の高低によらず（クリアランスの大小によらず）、漏れ量を少なくすることができる。特に、排気ガスの温度が低い場合に（クリアランスが大きい場合に）、漏れ量を少なくすることができる。
【００４９】
また、本実施形態の排気ガス締め切り制御装置１によると、図３、図４に示すように、弁体３０が全閉位置Ｐ１を超えた後は、モータ４が弁体３０に継続的に押圧力を加えている。このため、図１に示す演算部５０が弁体３０の開度を認識することができないにもかかわらず、確実に、弁体３０を弁座２２０に押し付けることができる。
【００５０】
また、本実施形態の排気ガス締め切り制御装置１によると、例えばモータ４の負荷電流を基に、演算部５０が、弁体３０が弁座２２０に着座したか否かを判別する場合と比較して、排気ガス締め切り制御装置１の回路構成が簡単になる。このため、排気ガス締め切り制御装置１の製造コストを削減することができる。
【００５１】
また、本実施形態の排気ガス締め切り制御装置１には、図２に示すように、デフォルトスプリング７が配置されている。デフォルトスプリング７は、常時、開方向に弁体３０を付勢している。このため、モータ４から弁体３０に駆動力が伝達されなくなっても、デフォルトスプリング７の付勢力により、弁体３０を図３に示す全開位置Ｐ２に設定することができる。つまり、排ガス通路２０の通路断面積を最大にすることができる。
【００５２】
また、本実施形態の排気ガス締め切り制御装置１によると、図６に示すように、弁体３０の外周縁と弁座２２０とが、弁体３０の径方向に対して、同じ方向に傾斜している。このため、弁体３０が径方向外側に熱膨張しても、弁体３０の外周縁が、弁座２２０の面方向に沿って、摺動することができる。したがって、弁体３０の外周縁が、弁座２２０に噛み込みにくい。
【００５３】
＜第二実施形態＞
本実施形態の排気ガス締め切り制御装置と、第一実施形態の排気ガス締め切り制御装置との相違点は、排気ガス締め切り方法実行時のデューティー比の設定のみである。ここでは、相違点についてのみ説明する。
【００５４】
図８に、本実施形態の排気ガス締め切り制御装置が実行する排気ガス締め切り方法の模式図を示す。なお、図４と対応する部位については、同じ符号で示す。図８に示すように、弁体が全閉位置Ｐ１に到着しても、演算部は、デューティー比を０にしない。演算部は、弁体が全閉位置Ｐ１に到着する前に、デューティー比固定制御を開始している。
【００５５】
本実施形態の排気ガス締め切り制御装置と、第一実施形態の排気ガス締め切り制御装置とは、構成が共通する部分に関しては、同様の作用効果を有する。本実施形態のように、全閉位置Ｐ１において、デューティー比を０まで下げなくてもよい。すなわち、少なくとも全閉位置Ｐ１から当接位置Ｐ３までの区間において（押し付けステップ中において）、デューティー比固定制御が実行されていればよい。
【００５６】
＜その他＞
以上、本発明の排気ガス締め切り制御装置の実施の形態について説明した。しかしながら、実施の形態は上記形態に特に限定されるものではない。当業者が行いうる種々の変形的形態、改良的形態で実施することも可能である。
【００５７】
バルブの種類はバタフライバルブ３に限定しない。例えば、ポペットバルブなどであってもよい。排気ガス締め切り制御装置１の配置場所は特に限定しない。ＥＧＲシステム、排気ブレーキシステムなどに配置してもよい。図３に示すように、当接位置Ｐ３においてモータ４が弁体３０に加える押圧力Ｆ１の大きさは、特に限定しない。弁座２２０に向かう方向の回転トルクを弁体３０に伝達できればよい。
【００５８】
上記実施形態においては、本発明の「開方向付勢部材」の一例として、デフォルトスプリング７を配置した。しかしながら、デフォルトスプリング７の代わりに、本発明の「閉方向付勢部材」の一例として、リターンスプリングを配置してもよい。また、デフォルトスプリング７と、リターンスプリングと、を併用してもよい。
【符号の説明】
【００５９】
１：排気ガス締め切り制御装置。
２：ハウジング、２０：排ガス通路、２１：第一スリーブ、２１０：弁座、２２：第二スリーブ、２２０：弁座。
３：バタフライバルブ、３０：弁体、３１：弁軸、３１０：弁軸支持ボス、３１１：スペーサ。
４：モータ（アクチュエータ）、４０：モータケース、４１：駆動軸。
５：制御ユニット、５０：演算部、５１：記憶部。
７：デフォルトスプリング（開方向付勢部材）。
８：リンク機構部、８０：モータ側アーム、８１：中間アーム、８２：バルブ側アーム。
９０：吸気系、９１：排気系、９１０：バイパス配管、９２：ターボチャージャー、９９：ＥＣＵ。
Ｃ１：クリアランス、Ｃ２：クリアランス、Ｆ１：押圧力、Ｆ２：付勢力、Ｐ１：全閉位置、Ｐ２：全開位置、Ｐ３：当接位置。
【図１】
2014092034.tif 000003
【図２】
2014092034.tif 000004
【図３】
2014092034.tif 000005
【図４】
2014092034.tif 000006
【図５】
2014092034.tif 000007
【図６】
2014092034.tif 000008
【図７】
2014092034.tif 000009
【図８】
2014092034.tif 000010